(57)【要約】【課題】  バドミントンとスカッシュ競技を複合し、社会へ新スポーツ競技バドミントンスカッシュを提供する為に、バドミントンスカッシュ独特なフライト内容を具備するバドミントンスカッシュ壁コートを提供する。【解決手段】  バドミントンスカッシュ壁コートであって、三面立設壁と返球ボードそれぞれ傾斜角度持つ１２枚の返球壁面及びフロア上ラインコートに囲まれた中で、お互い競技者がバドミントンスカッシュ（初級者用）シャトル及びバドミントンスカッシュ（中級者用）ボール、またはバドミントンスカッシュ（上級者用）ボールをバドミントンラケットで打ち合う、バドミントンスカッシュ独特な競技フライト内容を具備する。【選択図】図１３
2018038571.tif 000002
【特許請求の範囲】
【請求項１】
バドミントンスカッシュ競技用バドミントンスカッシュ壁コートであって、  
バドミントンスカッシュ（初級者用）シャトル及びバドミントンスカッシュ（中級者用）ボールまたはバドミントンスカッシュ（上級者用）ボールをバドミントンラケットとともに用いられ、三面立設壁体とそれぞれ傾斜角度持つ１２枚返球壁面の返球ボード及びフロア上ラインコートに囲まれたスペースで行う試合に、バドミントンスカッシュ独特なフライト内容具備する事を特徴とするバドミントンスカッシュ壁コートが提供される 。
【請求項２】
請求項１記載のバドミントンスカッシュ壁コートであって、
競技者打ち込みのスマシュ・プッシュ・ドロップに対応する為に、シャトルを高く遠くへ跳ね返りように、一段部が緩く仰向く傾斜壁面部と、またドライブ・サービスにより、シャトルをやや高く跳ね返りように、二段部がやや仰向く壁面部と、競技者の強くか弱く打ち上げる上升シャトルをスマシュかプッシュで返されるように対応する三段部が下方へ向く傾斜壁面部と、競技者の打ち飛すドリブンハイクリヤーとハイクリヤーのような高いフライトに対応する四段部がやや附せ向く壁面部と、跳ね返りフライトの方向を左右へ変換する中央壁面の両側壁面の外縁突出壁面部と、１２枚壁面を支持する複数本の中央壁面固定部材Ｓと両側壁面複数本の固定部材Ｓと、四段部複数本の壁面固定部材Ｓの上方に横に渡して架けられ接合梁と、一段と二段部壁面固定部材Ｓの下端から支持する複数本台座と、複数本の壁面固定部材Ｓの背後から支持する複数本の柱と、複数本の柱頭に横に渡して設けられ胴差しと、複数本の柱を支持する繋ぎ梁と、揺られ変形防止ために設けられる複数本筋交いと、
上記各部材を備える返球ボード部である。
また、左右サイド壁体の土台役に設けられ左右一対繋ぎ梁Ｇと、複数本の通し柱を左右一対繋ぎ梁Ｇの両端上面に壁コートの外周四角位置処立設されと、更に複数本管柱（左右壁体同様）や複数本の本間柱（左右壁体同様）が立設されと、通し柱同士また複数本の管柱をそれぞれ胴差しが突き刺すように連結固定されと、変形防止為に対策設けられ複数本の筋交いと、桁Ｍを左右壁体の上方部に繋ぎ梁Ｇと平行方向に渡して架け設置されと、ボードと壁体の接合為に複数本の両側壁面外縁辺固定部材Ｆを設けられと、大面積パネルを用い両サイド壁体内側平滑的壁面部形成されと、競技者の衝撃に耐えられる強化透明板状部材を用いバック側壁面部形成されと、左右開閉出来る強化透明板状ドアを配されると、前記ボード上方接合梁の上方に立設復数本の間柱と、両側左右一対管柱立設と、それぞれ柱頭上方に横に渡して架けられ桁Ｘを設置されと、空気流通為に、周囲の壁体上方部非競技壁面部に網壁面部を設けられると、
上記各部材を備えるＢの壁体部である。
なお、競技壁面部と非競技壁面部を区切りため、周囲サイドライン設定される事と、返球ボード壁面に左右サービス枠を設けされと、フロア上ボートの近い処にネットラインを横設置されると、次げにサービスラインを横設けされと、バック壁の近い処横にバックサイドラインを設けされと、サービスラインとバックサイドラインの間に、サイド壁と平行方向にセンターラインを設けされと、センターラインとサービスラインの丁字形交差点処に、センターライン右側に長方形サービスボックスを設置されと、左側にも同じサービスボックスを設置されると、 
上記返球ボードと三面壁（の通し柱はそれぞれ胴差しと桁が連結固定形で形成された矩形壁コート）に囲うまれたフロア上に引いたレアウトそれぞれライン備えるバドミントンスカッシュ競技用ラインコート部である。
上記三大要素具備する事をバドミントンスカッシュ競技フライト特徴とするバドミントンスカッシュ壁コート 。  
【請求項３】
請求項１記載のバドミントンスカッシュシャトルであって、シャトルのボールをポリエチレン素材で形成された直径４１ｍｍ、重さ３．９グラムのラインボールに、入れ替えて進化したシャトルをもっと多くの人々に楽しんで貰うために、本発明のシャトルにとして使用し、正式命名バドミントンスカッシュ（初級者用）シャトルと、スピナーボールをバドミントンスカッシュ（中級者用）ボールに命名と、またラインボールをバドミントンスカッシュ（上級者用）ボールと命名すると、バドミントンラケットを用いと、請求項１と請求２記載の三面立設壁体と返球ボードそれぞれ傾斜角度持つ１２枚の返球壁面と、要素を具備する事によるバドミントンスカッシュフライトを特徴とするバドミントンスカッシュ壁コート。
【発明の詳細な説明】
【技術分野】
【０００１】
スカッシュとバドミントンを複合し、派生して出来たスポーツバドミントンスカッシュ競技、競技用バドミントンスカッシュ壁コートである。正面が独特な返球ボードを使用し、左右と後方がスカッシュコートのような壁を囲まれた競技コートの中で、バドミントンラケットを使用し、返球ボードや壁か跳ね返るバドミントンスカッシュシャトルやバドミントンスカッシュボールを打ち返す、バドミントン独特なフライトを活かして、スカッシュの技術と結合形成していた、バドミントンスカッシュ競技用バドミントンスカッシュ壁コートに関する物である。
【背景技術】
【０００２】
テニスに似たスポーツ、スカッシュとは、縦９．７５メートル、横６．４メートル、高さ５．６メートルの、前後左右4面の壁と床に囲まれたスペースで、（近年、ミニスカッシュという娯楽スポーツが案出された。）ラケットを使い壁からはねかえるボールを打ち返す、（シングルス）2人か4人（ダブルス）で交互に球を打ち合う、小さいゴムの球を用いて行う屋内球技であります。現在スカッシュ競技者は世界１８５以上の国や地域で約２０００万人と言いわれている。スカッシュ競技が日本でも人気急上昇中 。
【０００３】
ところで、スカッシュコートについて、進化により色々なコート開発され、今処日本用途に応じた4タイプのスカッシュコートがございます、パネル式スカッシュコート・収納おりたたみ式スカッシュコート・ミニスカッシュコート・4面クリア（透明）スカッシュコート、最近エーアスカッシュコートにも登場、いずれも矩形の垂直壁コートです。このようなスカッシュコートコートに関して、例えば特許文献１  特開平８−１７７２５２号公報に開示の技術内容がある。
【０００４】
なお、バドミントン競技者の様々原因で練習の不足解消為に、私が、２０１５年ごろ独特のバドミントン練習法を開発、バドミントンのシャトルおよびバドミントン練習用セットが特許登録、室外で行って、一人で小型返球ボードに向かってリボン羽根付けるのシャトルを打つ練習による、競技者達自身的な強化訓練に役割を果たす事出来ますが、小型返球ボードがスポーツ競技にはなりません。このような返球ボードに関して、例えば特許文献２  特開２０１５−１３１０６２号公報に開示の技術内容が知られている。
【先行技術文献】
【特許文献】
【０００５】
【特許文献１】特開平１７７２５２
【特許文献２】特開２０１５−１３１０６２
【発明の概要】
【発明が解決しようとする課題】
【０００６】
社会へ新種目スポーツ競技バドミントンスカッシュを提供する為に、専用設備バドミントンスカッシュ壁コートを提供しようとする目的である。ところで、今までは、バドミントンスカッシュス競技が開発されていなかった為、始めしようとしたら、応用出来るコートがいません。例えば、スカッシュコートを利用するとしたら、しかしながら、上述した従来スカッシュ様々のコートですが、いずれも矩形の垂直壁により、競技内容のストローク（打ち方）とフライト（ボールやシャトルの飛び方）が限られていてしまうので、高い打点のフォアハンドストロークやバックハンドストローク及びオーバーヘッドが（バドミントンのストローク分類）応用には極めて困難である。適用競技フライトが少ないため、バドミントンの特有複雑的なフライト技術を発揮には出来ない。バドミントンフライトに対して、正面返球壁は横真っ直ぐ縦垂直壁ため、ボール（シャトル）を下向きで打ち込みしても、跳ね返りシャトルが高くに遠くへ飛ばす事が出来ない、ドロップとスマシュ及びプッシュのフライトに対応する出来ない為、バドミントンスカッシュ競技に利用する事不可能という問題がある。  
【０００７】
また、スカッシュ競技中多くに見られた両サイドウォール沿いでの攻防戦際、正面返球壁は横真っ直ぐ縦垂直平の壁面ため、サイト壁にすれすれ平行に真っ直ぐ打ち出しのボール（シャトル）が、そのままサイト壁沿いにすれすれ平行線で返されます、プレイヤーが壁の衝撃やラケットが壁に接触の恐れを気になって、思い切りでのプレーが十分発揮出来ない、ラケットが壁にぶつかったら破損問題にもある。
【０００８】
特開２０１５−１３１０６２号公報の先行文献について、背景技術に述べるように、ただの室外で一人バドミントン練習する小型返球ボードであり、改善進化にしないとスポーツ競技為利用する事が出来ない問題にもある。
【０００９】
本発明は上記の事情にもとづきなされたもので、スカッシュコートの矩形の垂直壁ため、バドミントンスカッシュ競技に利用する事が出来ず、ところで、より大勢な人々を楽しんで貰う為に、社会へ新しいスポーツ競技バドミントンスカッシュを提供し、バドミントン独特フライトに対応為にバドミントンスカッシュ壁コートを提供しよう、目的とするものである。
【００１０】
≪バドミントンスカッシュ競技についての簡単な説明≫
バドミントンスカッシュとは、スカッシュとバドミントンの複合体スポーツ競技です、バドミントンとスカッシュ両方の技術及びルールの特徴を具備している。スカッシュコートのイメージを取り入れ、正面は独特なバドミントンフライトに対応返球ボードと左右後ろの三方面立設壁体、及びフロア上競技ラインコートに囲まれたスペースで、バドミントンスカッシュシャトル及びバドミントンスカッシュボールを用いて行われる球技である。バドミントンラケットを使用して、返球ボードや壁から跳ね返るシャトルを打ち返す、2名か（ダブルスは4名）４名でバドミントンスカッシュシャトルを交互に打ち合う。全ての打球は前方の返球ボードに向かって打つ必要があるが、そのほかの壁も全て利用することができる。相手がボールを2度床にバウンドする前に前方の返球ボードに打ち返すことができなかったり、シャトルが前方返球ボードに届かなかったり、またサイドラインに越えったり、サービスシャトルがサービス枠にはみ出したり、跳ね返り際サービスラインまでに戻って来られなかったり、返球壁面に跳ね返りシャトルがネットラインに到着しなかったしたり、相手競技者のアウトと判断し、自分の得点になる。上述のような競技内容による新しいスポーツ競技バドミントンスカッシュである。
【課題を解決するための手段】
【００１１】
前記０００９段を述べている目的を達成するために、本発明観点によると、バドミントンとスカッシュ競技を複合し、社会へ新スポーツ競技バドミントンスカッシュを提供する為に、本発明としてバドミントンスカッシュ（初級者用）シャトル及びバドミントンスカッシュ（中級者用）ボールまたはバドミントンスカッシュ（上級者用）ボールをバドミントンラケットとともに用いられ、三面立設壁体とそれぞれ傾斜角度持つ１２枚返球壁面の返球ボード及びフロア上ラインコートに囲まれたスペースで行う試合に、バドミントンスカッシュ独特なフライト内容具備する事を特徴とするバドミントンスカッシュ壁コートが提供される。
【００１２】
上述の発明において、競技者打ち込みのスマシュ・プッシュ・ドロップに対応する為に、シャトルを高く遠くへ跳ね返りように、一段部が緩く仰向く傾斜壁面部と、また、ドライブ・サービスにより、シャトルをやや高く跳ね返りように、二段部がやや仰向く壁面部と、競技者の強くか弱く打ち上げる上升シャトルをスマシュかプッシュで返されるように対応する三段部が下方へ向く傾斜壁面部と、競技者の打ち飛すドリブンハイクリヤーとハイクリヤーのような高いフライトに対応する四段部がやや附せ向く壁面部と、跳ね返りフライトの方向を左右へ変換する中央壁面の両側壁面の外縁突出壁面部と、１２枚壁面を支持する固定部材Ｓとは、１２本中央壁面固定部材Ｓ（４枚壁面×３本）と８本両側壁面固定部材Ｓ（８枚壁面×１本）と、四段部壁面固定部材Ｓの上端に横に渡して架けられ接合梁３３と、一段と二段部壁面固定部材Ｓの下端から支持する３本台座２５と、壁面固定部材Ｓの背後から支持する３本柱２６と、３本柱頭に横に渡して設けられ胴差し２７と、柱を支持する繋ぎ梁２８と、揺られ変形防止ために設けられる筋交いＫ１と、
上記各部材を備える返球ボード部である。
また、左右サイド壁体の土台役に設けられ各１本の繋ぎ梁２８Ｇと、４本の通し柱２６Ｅを繋ぎ梁両端上面に壁コートの外周四角位置処に立設されと、更に３本管柱２６Ｗ（左右壁体同様）や１６本間柱３９（左右壁体同様）が立設されと、通し柱同士また管柱を胴差し２７Ｊと３６が突き刺すように連結固定されと、変形防止為に対策設けられ４本筋交いＫ３８と、桁４０Ｍを左右壁の上部に繋ぎ梁２８Ｇと平行方向に渡して架け設置されと、壁体とボードの両側壁面外縁辺接合為に固定部材１７Ｆ・１６Ｆ・１５Ｆ・１４Ｆを設けられと、大面積パネルを用いられ両サイド壁体内側平滑的壁面部４２形成されと、競技者の衝撃に耐えられる強化透明板状部材を用いてバック側壁面部４８形成されと、左右開閉出来る強化透明板状ドア４５を２枚配されると、前記ボード上部接合梁３３の上側面に立設５本の間柱３９と、両側各１本管柱３７立設と、それぞれ柱頭上に桁３３と平行方向に横に渡して架けられ桁３３Ｘを設置されと、空気流通為に、周囲の壁体上部非競技壁面部に３ｃｍ目の網壁面部４１・４１Ｌ・４３を設けられると、 
上記各部材を備える三面立設壁体部である。 
なお、競技壁面部と非競技壁面部を区切りため、サイドライン２１設定され事と、返球ボード壁面にサービス枠１８と１９を設けされると、フロア上ボートの近い処にネットライン４９を横設置されると、次げにサービスライン５０を横設けされると、バック壁の近い処横にバックサイドライン５４を設けされると、サービスラインとバックサイドラインの間に、センターライン５１をサイド壁と平行方向に設けされと、センターライン５１とサービスライン５０のＴ字形交差点処に、右側にサービスボックス５２を設置されと、左側にサービスボックス５３を設置されると、 
返球ボードと三面立設壁に（４本の通し柱２６Ｅはそれぞれ胴差しと桁が連結固定形で形成された矩形コート）囲うまれたフロア上に引いたレアウトそれぞれライン備えバドミントンスカッシュ競技用ラインコート部である。
上記三大要素具備する事をバドミントンスカッシュ競技フライト特徴とするバドミントンスカッシュ壁コートが形成されている。
【００１３】
また上述壁コート内で行う競技に利用されたシャトルとは、私が２０１５年発明品シャトルのボールを、ポリエチレン素材で形成なされた直径４１ｍｍ、重さ３．９グラムのラインボールに、入れ替えて進化されたシャトルをもっと多くの人々に楽しん貰うために、本発明のシャトルとして利用し、正式命名バドミントンスカッシュ（初級者用）シャトルと、スピナーボールがバドミントンスカッシュ（中級者用）ボール、またラインボールがバドミントンスカッシュ（上級者用）ボールとを命名されると、バドミントンラケットを用いられと、  前記三面立設壁体と返球ボードそれぞれ傾斜角度持つ１２枚の返球壁面と、それぞれ要素を具備する事によるバドミントンスカッシュフライトを特徴とするバドミントンスカッシュ壁コート。 
【発明の効果】
【００１４】
新種目スポーツ競技の誕生による多く人々の心身を養う、健康生活を向上させ、人々の生活を充実や意識の向上に盛り上げる事ために役割を果たす。  
【００１５】
≪練習は手段、勝利が目標、知恵と汗の結晶で、夢を叶える！≫ 
また、本発明品バドミントンスカッシュ壁コートは、返球ボードが１２枚の壁面様々傾斜角度を備え、シャトル（ボール）が１２枚傾斜壁面の彼方此方の部位を衝突して、様々なバドミントンとスカッシュフライトを作り出し、今まで違う形式でバドミントンとスカッシュを楽しめる。更に、バドミントン競技者の強化訓練に利用すれば高い効果を得る。例えばこの壁コートがスカッシュ競技に利用することにとしたら、スカッシュ競技を進化させる事が出来る。  
【００１６】
また、バドミントンとスカッシュ両方がともにラケット競技であり、スカッシュ強打が特徴と知られている。バドミントンは巧妙的技が特徴としている。お互い相補性に追求より複合体スポーツ競技の事で、スカッシュ競技とバドミントン競技を超えていて高難度なスポーツと考えられる。競技者が、身体的高い能力と、瞬間的な反応と、速度が高い事と、長時間に亘り集中力を持続できる事と、優れ視覚能力と、高難度のラケット技術と、前後左右に素早く動けるフットワークを身に付ける事により、本競技以外にもスカッシュやバドミントンの優秀競技者を育成にも予想出来る。
【００１７】
バドミントンの場合は、シャトルが一種類しかありません、幼い子供や成人が如何なレベルの競技者にも相変わらず一種類のシャトルで勝負する。では本発明が違って、初級・中級・上級用のバドミントンスカッシュシャトルとバドミントンスカッシュボールを用いられる為、レベルを分けて勝負が出来ることによる色々な目的利用に、例えばニュースポーツから激しいスポーツ競技まで幅広い範囲の人々を利用できる。
【００１８】
競技者が両サイド壁沿い平行に押し出しのシャトルが、ボード両側壁面の外縁前へ突出の角度によって違い方向へ跳ね返って来られことで、競技者の体やラケットがサイト壁にぶつかる事を避けられによる、競技者の怪我やラケットの破損等防止に役割を果たす。
【図面の簡単な説明】
【００１９】
本願に係る１４枚図面について、図１〜図４まではＡの返球ボード部。図５〜図８まではＢの壁体部。図９はＵの競技用フロア上ラインコート部。本願のバドミントンスカッシュ壁コートはＡ・Ｂ・Ｕ三部構造形成為、完成図はＡ−Ｂ−Ｕにとする、図１０図１１を有している。図１２〜図１４まではＲのシャトルフライト部である（壁コート完成図大き過ぎるため図１０の縮尺が１/８にしました。他の１３枚図面が１/４にしおました。）
【図１】図１のＡ−１は本発明に係る返球ボードの壁面形状を示す、正面側から見た状態を示す斜視図である。（Ａ実施の形態）
【図２】図２のＡ−2は返球ボードの左側見た角度を示す、Ａ−３は、返球ボードの右側見た角度を示す、Ａ−４は、上空から見た横行列の角度を示す図である。（角度図形の中心線のみ）（Ａ実施の形態）
【図３】図３のＡ−５は返球ボードの断面示す図である。（２２と２２Ｃが見易い為５倍拡大している）Ａ−６は壁面固定部材Ｓの形状を示すである。（Ａ実施の形態）
【図４】図４のＡ−７は返球ボードの構造を背後側から見た状態を示す斜視図である。（Ｖ１とＶ２及びＶ３５は、壁面固定部材の形状、見易い為５倍に拡大）（Ａ実施の形態）
【図５】図５のＢ−１は左右サイド壁体骨組みを示す正面図である。（Ｄは、接合部材の形状、見易い為５倍拡大）（Ｂ実施の形態）
【図６】図６のＢ−２は左右サイド壁体部の内側見た壁面の正面図である。（Ｂ実施の形態）
【図７】図７のＢ−３はバック側（後方）壁体外観正面図。（出入口確認できる。）（Ｂ実施の形態）
【図８】図８のＢ−４は返球ボートの上方壁体部構造示す図、Ａ−１は返球ボード壁面部である。（Ｂ実施の形態）
【図９】図９のＵは壁コート内競技用フロア上ラインコート平面図である。（Ｕ実施の形態）
【図１０】図１０のＡ−Ｂ−Ｕ−１はバドミントンスカッシュ壁コート上空見た状態の斜視図である。（Ａ−Ｂ−Ｕ実施の形態）
【図１１】図１１のＡ−Ｂ−Ｕ−２はバドミントンスカッシュ壁コートの構成部材の位置分布を示す概略平面図である。（Ａ−Ｂ−Ｕ実施の形態）
【図１２】図１２のＲ−１は両サイド壁沿い打ち出しシャトルが跳ね返ってきた軌跡を示すフライト図。（フライト示す図はｈ１から番号付ける）（Ｒ実施の形態）
【図１３】図１３のＲ−２は返球ボードの中央壁面部形状以外を省略した状態の返球ボードの側面イメージ形状を示すと共に、返球ボード独特フライトの側面から見るシャトルの軌跡を示す図である。（Ｒ実施の形態）
【図１４】図１４のＲ−３は後方側見た壁コート内の両サイド壁体を利用するフライトを示す図である。（Ｒ実施の形態）
【発明を実施するための形態】
【００２０】
≪註：実施の形態説明は、バドミントンスカッシュシャトルが略称シャトル≫
本願の実施の形態では、１４枚図面に基づく実施されている。全工程は、Ａ実施の形態、Ｂ実施の形態、Ｕ実施の形態、Ａ―Ｂ―Ｕ実施の形態、及びＲ実施の形態を五部に分けて説明する。Ａ実施返球ボード部は、図１図２図３図４を有している。Ｂ実施は、左右側方とバック側方壁体部及び返球ボード上方の壁体部、図５図６図７図８を有している。Ｕ実施の形態は、壁コート内フロア上仕切る線で描けられた図形競技用ラインコート、図９を有している。Ａ―Ｂ―Ｕ実施の形態は、壁コート形成されている状態、図１０と図１１を有している。Ｒ実施の形態は、本発明バドミントンスカッシュ壁コートによるシャトル（ボール）のフライトを説明し、図１２図１３図１４を有している。以上の順序ように五部実施の形態について説明する。
【００２１】
≪Ａの実施の形態とは、本発明に係る図１返球ボードの返球壁面部、図２は返球ボード設計角度を説明、図３は返球ボードの断面で構造を説明、図４は返球ボード骨組み裏側から説明である。≫ 
先ず、図１のＡ−１に示すように、返球ボード壁面部の１２枚傾斜角度パネル壁面の構成について、上下四段部あり、一段部は左１７・中１０・右１７の３枚壁面で構成、二段部は左１６・中１１・右１６の３枚壁面で構成、三段部は左１５・中１２・右１５の３枚壁面で構成、四段部は左１４・中１３・右１４を有している。横は三行列あり、中央四段壁面にいずれ左右側の壁面１７、１６、１５、１４、が対応する。返球ボード壁面部Ａ−１を構成する板状部材として、スカッシュコート壁面パネル材を用いされている（最近はジェイ・エス・エム株式会社が新製品を開発しました。なんと1枚のパネルの大きさは従来の板の3倍もの大型板が登場。）ですが、表面が平滑的硬くてシャトルを良好に跳ね返すものであれば、どのようなものであっても良い。そのような板状部材としては、たとえば塗装コンパネ板やプラスチック板、木材板、金属板等がでも良い。なお、各壁面部が統一なる材質から形成されて好ましい。壁面色について、左右サイド方壁面とボード壁面が統一色によりホワイト色や青緑色等が良い、シャトルの球及びボールと反対色が好ましい 。
【００２２】
≪一段部壁面の傾斜角度及び意図的について≫
下方壁面の一段部は、左壁面部１７・中央壁面部１０・右壁面部１７の３枚壁面で連結構成され、返球ボードの水平面に対する傾斜角度は、一段壁面部の傾斜角度が各段よりも緩く設けられている。すなわち、下降するフライトに対応し、一段壁面部の傾斜角度によってシャトルを高くで遠くへ跳ね返すために反射面は、上方へ仰向くように傾斜している。一段部左右の１７は、１０との接合部位両側壁面外縁が前向きへ突出されている。左中右3枚傾斜面パネル板を連結構成し、一段部となっている。仰向き傾斜面の特徴とは、強く打ち込んだシャトルをハイクリヤーのような高くで遠くへ飛ばす事が出来る。跳ね返って来られシャトルを、競技者がプッシュやスマシュなど打ち込み出来る。ドロップの落とす込にも出来る。両サイド壁沿い平行に打ち出しフライトがボード両側壁面外縁の前へ突出角度によるシャトルがコートの中間や、やや反対側処に跳ね返って来られ、（図１２に示す）競技進め易い、長くラリー出来る事で、試合内容が充実になって楽くになる。
【００２３】
また、左側方壁面部１６、中央壁面部１１、右側方壁面部１６で構成していた二段部は、一段部の真上に設置され、水平フライトに対応する為垂直面ではなく、やや仰向きように傾斜面である。両側壁面外縁部１６と１１との接合部位がカーブ形状を形成、両側壁面外縁が前へ突出なっている。中央壁面部１１の表面に長方形のサービス枠ライン（線幅は4ｃｍ）が設けられ、上下１本中央線２０を用いて、左１８と右１９の二つサービス枠に分けられている。（サービスポクス５２番から、５２番は図９のコートライン図に示しであり、返球ボードサービス枠１８番に向かってサービスを出してゲームを始まる。）壁面１１の角度による水平のようなドライブ打ち際、跳ね返ってきたシャトルがやや高めになり、打ち易い、ドライブ勝負には最適です、左中右壁面を総合利用すれば、フライトを変化させ試合内容が充実になり、競技者の身体能力を最大発揮し、楽しい勝負が出来る。また、競技者が両サイド壁沿い平行に打ち出しフライトのシャトルが両側壁面１６外縁突出によるコートの中間や、やや反対側処に跳ね返って来られ（図12を示す）、競技者の体やラケットが壁に接触の恐れ事を避けられ、思い切り勝負が出来る。
【００２４】
また、左側壁面部１５、中央壁面部１２、右側壁面部１５を構成なっている三段部は、二段の真上に設置されている。三段部へ向かって上昇シャトルが急速下降傾向へ跳ね返って来られようにため、反射面が下方へ俯せ向きの傾斜角度を設けられている。両側壁面１５と１０との接合部位がカーブ形状になっていて、両側壁面外縁が前へ突出している。競技者が１２に向かってシャトルを強く打つにならば、相手に威力的なスマシュ（図１３を示す）させる事が出来ます、両側の１５に上手く利用すれば複雑な攻撃フライトが生み出し出来ます、プッシュで攻撃にも同様利用事できる（図12を示す）。
【００２５】
また、左側壁面部１４、中央壁面部１３、右側壁面部１４に構成され四段部は、三段部上縁の上に設置され、ハイクリヤーように高いフライトに対応する壁面部であり、やや前へ附せ向き、左右壁面の１４と１０の接合部位がカーブ形状に形成、ボード両側壁面外縁が前へ突出されている。競技者は、１３の壁面を狙ってハイクリヤーを飛ばす事が（後述図１３に示す）出来る。両側の１４を狙えば、跳ね返ってきたフライトが方向変化するになり、（図12を示す）競技内容は充実になる。床面から返球ボード壁面の上辺４ｍ５０ｃｍ処横向きに一本４ｃｍ幅のサイドライン２１が設けられ、２１の以下は競技エリアにとする。
【００２６】
続き、Ａ実施の形態に係る返球ボードは、様々な傾斜角度が図２の角度設計図に基づく形成されたものである。図２では、返球ボード上下４段と横3行列の角度を示すである。Ａ−２は、返球ボードの左側見える角度、Ａ−３は、右側見える角度、Ａ−４は、上空から見た横行列の角度である。図面ソフトの角度寸法記入方法によって水平線から測ることで、Ａ−２とＡ−３記入数値違うですが、傾斜度同じ事である。
【００２７】
≪Ａ−３の右側から見る角度の説明が省略し、左側表示角度の右横にかっこ中で（Ａ−３は０００度）のように記入する。≫
先ずは、Ａ−２の返球ボード左側見た角度を説明、一段部壁面部左１７・中１０・右１７は水平面に対する傾斜角度Ｐ１は、傾斜角度を緩く設けられている。すなわち、シャトルを高く遠くへ飛ばさせるために一段部の反射面は、上方を向いてＡ−２Ｐ１の５２．５度(Ａ−３は１２７．５度) のように傾斜している。返球ボードの一段部角度Ｐ１は、シャトルが高くで遠くへ跳ね返すものであれば、どのような角度でも良いが、傾斜角度Ｐ１の好ましい角度としては、たとえば５０度〜５５度の範囲内で角度調整する事が可能となっている。
【００２８】
また、返球ボードの二段部の左１６・中１１・右１６壁面部は、水平フライトのようなドライブを打ち出し場合、シャトルがやや高めに跳ね返って来られるように為、反射面角度は、Ｐ２の８３度（Ａ−３は９７度）のやや仰向く角度に設定されているが、その水平面に対する傾斜角度Ｐ２は、たとえば８０〜８５度の範囲内で角度を調整する事が可能となっている。  
【００２９】
また、三段部について、三段部壁の反射面は、上述の下方壁面部一段部および二段部の反射面とは異なり、三段部へ向かって上昇シャトルが急速下降傾向へ跳ね返って来られるように、反射面が下方側へ俯せ向くＡ―２のＰ３１０７度（Ａ−３は７３度）のように設けられている。図１に見られのような左側壁面部１５・中央壁面部１２・右側壁面部１５を有している。なお、三段部壁面傾斜度としてボードの水平面に対する傾斜角度Ｐ３は、たとえば角度数値を上下５〜６度範囲内の角度調整可能となっている。
【００３０】
また、上方壁面の四段部は、競技者が高くで遠くへ飛ばすシャトルを、ボード壁面に衝突後Ｕターンフライトを浮きあげ過ぎないように、四段部壁面部の傾斜角度がＡ−２のＰ４のようにやや下方へ俯せ向く９４度(Ａ−３は８６度)のような傾斜面設けられ、図１に示すような左側方壁面部１４・中央壁面部１３・右側方壁面部１４を有している。試合中競技者が止むを得ない場合、高くに遠くへシャトルを飛ばし、良い姿勢を構えられ為時間を稼ぐ事を意図している部分である。競技フライト内容により、四段部壁面の傾斜度は、上下４度範囲内の角度調整可能となっている。
【００３１】
続いて、図２のＡ−４は、返球ボードの上空から見た状態、ボード壁面が横三行列構成していて、横角度を示す平面概略図である。上下四段中央返球壁面部と上下四段両側壁面部の接合部位カーブをする事に示すしている。ボード両側壁面の外縁が前へ突出角度数値はＡ−４のＰ５に示すような（中央壁面を水平面にとする１５度）(１６５度)角度となり、中央壁面１０・１１・１２・１３と左右側の返球壁面の１７、１６、１５、１４を有している。競技者が両サイド壁沿いに押し出し平行フライトのシャトルが、ボード両側壁面の外縁前へ突出の角度によって違い方向へ跳ね返って来られ、フライトの角度が壁面外縁のカーブＰ５の角度数値によるシャトルの飛行方向変わる。Ｐ５の基本角度より、変更しても良い、例えば１５度〜２０度（１６５度〜１６０度）の範囲内調整可能となっている。
【００３２】
なお、上述の各壁面部１０〜１７の傾斜角度は、変更可能となっているが、このような角度の調整機構としては、各壁面の固定部材の角度変更や、形状変更調整及びボード両側壁面板の内外縁辺長短さの調整、２３・２４・２５長短さの調整にも必要となる。各壁面固定部材の形状図３のＡ−６と図４のＶ及び図５のＤを示すであるが、その形状を変更が必要である。
【００３３】
≪前記１２枚の返球壁面を支持する支持体の骨組実施について≫
図面１形成していたボードの返球壁面のそれぞれ角度ですが、全て骨組構造図３と図４に基づきなされたものである。図３の断面図はボード部上下４段構造の形状を示す、断面から見ると、柱と台座及び上下４段の壁面固定部材の接合位置による上下４段の三角形トラス構造支持体形成されている。図４は返球ボード構造の背後側見た状態である。骨組み構成には、様々な部材を用いされ、例えば、壁面を支持する壁面固定部材Ｓ、Ｓを支持する繋ぎ梁・台座、柱。柱を連結する接合梁、胴差し、ボード補強部材筋交い等用いされる材料としては、頑丈な材質にならばよい、金属や木材等が好ましい。
【００３４】
返球ボードの上下４段の三角形トラス構造支持体の工法と各部名称及び役割が図３と図４を示す、そして、図３と図４合わせて説明する。１２枚壁面を支持する１２本中央壁面固定部材Ｓ（４枚壁面×３本）と８本両側壁面固定部材Ｓ（８枚壁面×１本）と、四段部壁面固定部材Ｓの上端に横に渡して架けられ接合梁３３と、一段と二段部壁面固定部材Ｓの下端から支持する３本台座２５と、壁面固定部材Ｓの背後から支持する３本柱２６と、３本柱頭に横に渡して設けられ胴差し２７と、柱を支持する繋ぎ梁２８と、揺られ変形防止ために設けられる筋交いＫ１と、上記各部材を備える返球ボード部である。
【００３５】
≪返球ボードの骨組みについて≫ 
本発明に係る返球ボードＡ実施の状態では、先ずは、土台の形成から、３本台座２５と返球ボードの最下部位の１本繋ぎ梁２８及び（後述００５２段から記載、図５〜６）左右サイド壁体下方部位の繋ぎ梁２８Ｇを共に土台役として水平設置されている。ボードの繋ぎ梁２８を横に左右向きへ使用し、２８の上面にボード本体を支える３本柱２６を垂直で立設され、壁面１０の背後真ん中処と壁面１０と壁面１７接合位置処を長ほぞ刺す方法で立設していて、３本台座２５は、２６柱脚の位置で水平置き、繋ぎ梁28と直角線方向へ設置する。２６と２５が立直角のＬ字形状に形成、ボード中央部の支持体を形成されている。３本２６柱頭の上に横胴差し２７を繋ぎ梁２８と平行方向に横に渡して架け設置、しっかり固定し、（後述のボードとサイド壁体との接合時２７の両端が通し柱２６Ｅの側面に刺さる形で固定する）ボードの支持体を形成されている。返球ボードの強度を高めるために柱脚や重要な繋ぎ部に金具固定工法で（図示せず）金具を用いて固定補強する。土台と床面にも接合固定する。
【００３６】
≪ボード中央部直角三角形トラス構造支持体二段の形成について≫
３本台座２５の上面に、ボード壁面１１の３本固定部材１１Ｓを、図３のＡ−６示す形状ように成形し、図２Ａ−２のＰ２通り８３度（Ａ−３は９７度）の傾斜角度で斜め立設、下端が２５に刺さる形で固定すると、１１Ｓの上端が３本柱２６の正面に付けて固定、二段部の中央部直角三角形三座トラス構造支持体形状を形成されている。
【００３７】
≪中央一段壁面部固定部材の設置について≫
続いて、一段部の壁面１０の３本固定部材１０Ｓを、図３のＡ−６示す形状のように成形し、図２Ａ−２のＰ１のような５２．５度（Ａ−３は１２７．５度）の傾斜角度で上端が3本１１Ｓの前方面に付けて固定、下端は３本２５の正面面（２５の前方形状は５２．５度斜面となり）に接合固定、ボードの一段部中央部直角三角形三座トラス構造支持体形状を形成されている。その位置と形状が図３と図４が確認出来る。
【００３８】
続いて、三段部の壁面１２の３本固定部材１２Ｓを、図３のＡ−６示す形状のように成形し、図２のＡ−２のＰ３を示すような７３度（Ａ−３は１０７度）の傾斜角度で二段部３本１１Ｓの上端上に立設柱２６と固定すると、１２Ｓの上端裏側に３本連結部材２４の一方端と連結固定され（後術四段の１３Ｓの下端と共に接合固定する）、２４の別の一方端が柱２６の正面に連結固定し、三段部の中央部三角形三座トラス構造支持体形状を形成されている。
【００３９】
続きまして、四段部壁面１３の３本固定部材１３Ｓを、図３のＡ−６示す形状ように成形し、図２Ａ−２のＰ４が示す様な９４度（Ａ−３は８６度）の傾斜角度で三段部３本１２Ｓの上端に立設、接合部位の裏側が３本連結部材２４と（前記）三段の１２Ｓの上端と共に接合固定する。前記２４の別の一方端が３本柱２６と連結固定している。３本固定部材１３Ｓの上端裏側に３本連結部材２３の一方端と連結固定され、２３の別の一方端が３本柱２６と連結固定する。このような対策がボード構造の強度をアップ出来る。此処まで三座四段一体状の三角形トラス構造支持体を形成している。（トラス構造支持体の形状は、図３の断面図を示す、構造の詳細全貌を図４が確認出来る。）  
【００４０】
≪接合梁３３の役割≫
また、三体トラス構造支持体の上方３本１３Ｓの上端に接合梁３３を繋ぎ梁２８と同じ平行方向に横に渡して架け設置すると三体トラス構造支持体確り連結固定される。この３３が返球ボード本体とＢ４壁体（図８）及び両サイド壁体（図５〜６）に接合の役割を果たす。接合梁３３の両端が両側サイド壁体の胴差し27Ｊの側面に突き刺さるような形で連結固定され、ボードとサイド壁体を接合固定こと出来る。３３の上方に壁体Ｂ４が建てられ、天井と繋ぎ、３３の下側面がボード上部の三本１３Ｓの上端と接合固定による、壁コート一体化に役割を果たす。（詳細は図８と完成図１０を示す）上述それぞれの接合部（図示せず）いずれ木工用コーススレッド用い固定する。
【００４１】
≪返球ボード部両側壁面の固定部材について≫
中央壁面部と両側壁面部接合するには、真直ぐ繋ぐ延ばすではなく、接合位置が図２Ａ−４のＰ５に示す１５度（１６５度）ように曲がっている。返球ボード壁面の両側外縁を前へ突出するには、両側壁面部固定材部１７Ｓ・１６Ｓ・１５Ｓ・１４Ｓを図４のＶ１示しの壁面固定部材断面ように変形長方形様に成形による、両側壁面外縁前へ突出事が出来る。
【００４２】
≪ボード両側上下四段壁面固定部材付けについて≫
図４ボード後方見た通り、右側壁面固定部材と中央壁面固定部材並行固定している。返球ボードの中央壁面部に対応する両側壁面固定部材付ける工法を説明します、図４のＶ１の形状ように成形されて両側壁面固定部材１７Ｓ・１６Ｓ・１５Ｓ・１４Ｓを、四段中央壁面固定部材のそれぞれ長さと相同長さで切断し、（二段用１６Ｓは壁面１１縦長さと相同長さでも良い）いずれも四段中央壁面の左右両辺縁固定部材Ｓの左右外側並行に付けて固定する、一段部例にすると、１０Ｓの外側に１７Ｓを並行接合固定、形成された形状は図４のＶ２に示す様な１５度（１６５度）カーブ形状になっている。そして１１Ｓと１６Ｓ・１２Ｓと１５Ｓ・１３Ｓと１４Ｓそれぞれに並行接合固定されている。固定方法として木工用コーススレッド（半ネジ）やボルトが好ましい。（両側壁面固定部材として木材製部材に限りなく、図４のＶ３５金属製アングル式でも良い）
【００４３】
≪１２枚壁面取り付けの実施を説明する≫
続いて、上述完成していた三体トラス構造支持体に返球ボードの壁面を取り付け実施の形態を説明する、一段中央壁面部３本固定部材１０Ｓの正面に、縦１ｍ３０ｃｍ×横幅３ｍ５８ｃｍのボード壁面１０を取り付けて、パネルビスを用い固定し、下縁が床面とビッタリ接合する。返球ボード壁面部の固定について、（図示せず）いずれもパネルビス用い固定する。ボード中央部幅３ｍ５８ｃｍあり、パネルの長さ足りない場合は相等長さで二枚用い壁面中央固定部材処に接合、継ぎ目が平滑的を好ましい。
【００４４】
また、一段壁面１０上方側の二段中央壁面部１１の３本固定部材１１Ｓの正面に縦１ｍ２３ｃｍ×横幅３ｍ８５ｃｍのボード二段壁面部材１１を取り付けて固定し、１１の下縁と１０の上縁接合部位に図３が示すような内角埋めフレーム２２を用い貼り付け、２２の裏側が１段と２段壁面の接合に形成していた１４９.５度の内角に合わせの形状で、表側が円やかな半楕円内カーブの形状にして、接着ボンドや木工用平皿ビスでしっかり固定し、接合の継ぎ目が平滑しなければならない。（両側壁面の一段部と二段部の接合部位にも同じ工法で２２を張る。）
【００４５】
なお、二段壁面１１上方側の三段中央部壁面部１２の３本固定部材１２Ｓの正面に縦１ｍ３０ｃｍ×横幅３ｍ８５ｃｍのボード三段壁面部材１２を取り付けて固定し、１２の下縁と１１の上縁接合部位に、図３が示すような内角埋めフレーム２２Ｃを用い貼り付け、２２Ｃの背面が二段部と三段部の接合に形成いた１５６度に合わせの形状で、表面が円やかな半楕円内カーブの形状にして、接着ボンドや木工用平皿ビスでしっかり固定し、接合の継ぎ目が平滑を好ましい。（両側壁面の二段と三段接合部位にも同じ工法で２２Ｃを張る。）２２と２２Ｃの対策とは、シャトルが壁面接合部内角に衝突Ｕターンの支障発生に防止事ができる。
【００４６】
続いて、三段壁面上方側の四段中央壁面部１３固定部材三本１３Ｓの正面に縦１ｍ０.７１ｃｍ×横幅３ｍ８５ｃｍのボード四段壁面部材１３を取り付けて固定し、１３の下縁と１２の上縁接合部位に円やかな半楕円外カーブ様な形状で継ぎ目を最小限にする。返球ボード中央部の四段壁面部いずれかが連結状態で固定されている。（図１示すような返球壁面部）
【００４７】
≪返球ボード両側壁面取り付けを説明する≫ 
ボード両側壁面部１７・１６・１５・１４はいずれも幅８２．８２ｃｍ、壁面の内側辺の長さは中央壁面部各段の縦長さに合わせて、前へ突出する為に外側辺が若干短くにして、変形長方形の形状になっている。一段中央壁面固定部材の両側外に付けられた２本固定部材１７Ｓの正面に左右壁面１７を取り付け固定する。左右１６Ｓの正面に壁面１６を２枚用い左右取り付け固定する。左右１５Ｓの正面に壁面１５を２枚用い左右取り付け固定する。左右１４Ｓの正面に壁面１４を２枚用い付けて固定する、固定方法として木工用パネルビス用い固定する。此処まで返球ボード１２枚の壁面が連結し一体状で固定されている。一段と二段の接合部位がフレーム２０を張り付け、二段と三段の接合部位がフレーム２２Ｃを、張りつけの工法が前記と同じする。（ボード壁面部が図１示す、上下四段の傾斜角度は図２のＡ−２とＡ−３を示す、左右横の角度は図２Ａ−４を示すである。）
【００４８】
次は、ボード壁面部強度を高めるために、中央壁面と相等長さの補強フレーム２９等ボード中央の四段壁面と壁面の接合継ぎ目処（壁面の裏側方）に付けて固定する。壁面の変形を防止事ができる。先ずは、ボード中央部壁面１０の裏側下縁沿い補強フレーム２９を横方向に付けてパネルビス用い正面から固定する。補強フレーム２９の下面と床面に木工用コーススレッドで固定する。壁面１０と壁面１１の接合部位裏側に補強フレーム３０を横方向に取り付けてビス用い壁面の表面から固定する。なお、壁面１１と壁面１２の接合部位の裏側に補強フレーム３１を横方向に取り付けて固定する。また壁面１２と壁面１３の接合部位の裏側に補強フレーム３２を横方向に取り付け固定する。補強フレーム使用事で一体状にされることによる、各壁面を連結した状態で強固な壁面部を構成することが可能となる。（補強フレーム取り付けるには中央壁面部のみ）
【００４９】
返球ボードの両側各壁面部の各接合部位裏側に補強金具３４を取り付けて固定、固定方法として平皿ボルトが好ましい。ボード壁面を一体状の強度をアッブできる。
【００５０】
また、返球ボード本体の強度を高めるために、返球ボードを支える３本柱２６の間に軸組み構法を取り入れ、柱と柱の間に筋交いＫ１を２本設置、返球ボードの強度を高めるために柱と繋ぎ部位に金具固定工法で（図示せず）金具を用い固定補強する。揺れられる変形に防止役割を果たす、地震の震動やプレイヤーの衝撃に耐えられように強固な返球ボード部を構成することが可能となる。図４の返球ボード背面側斜視図を示す。  
【００５１】
≪Ｂ壁体部実施の形態を説明する≫
Ｂの壁体部では、左サイド壁体と右サイド壁体及び後方側壁体、また返球ボード本体上側方壁体を有している。図５Ｂ−１は両サイド壁体部の骨組みを示すである。図６Ｂ−２は両サイド壁内面パネルを用いて一面を覆うられての状態である。図７Ｂ−３はバック側方壁体が左右サイド壁と違って、床面から返球ボードの高さまでに、ポリカーボネート樹脂透明板で形成、出入口を開き、透明型左右引いて開けるタイプのドアを配される。図８Ｂ―４が返球ボード本体上方側に建てられた壁体を示す。
【００５２】
≪図５の×記号について、例えば２７・４０・３３・２８・３３Ｘ番号指したの×記号は、いずれも部材と壁体接合の位置を示す。≫
左右両サイド壁体土台役の２本繋ぎ梁２８Ｇの両端上に、４本通し柱２６Ｅをおもに壁コートの外周四角位置処に立設され、中間部管柱２６Ｗや間柱３９が立設され、通し柱２６Ｅと管柱２６Ｗは胴差し２７Ｊと３６が側面に突き刺さるような形で連結固定され、壁体の全体を支える。４本筋交いＫ３８用いて、壁体の強度アッブするに役割を果たす。桁４０Ｍを壁体の上部に、繋ぎ梁２８Ｇと平行方向に渡して横に架け設置され。縦や横の壁骨組み材の内面を大型スカッシュ壁用パネルで一面を覆って取り付けてビスで固定、パネルの大きさは従来の板の3倍もの大型板を使用し、パネルの継ぎ目を最小限に平滑的を好ましい。両側壁面外縁固定部材１７Ｆ・１６Ｆ・１５Ｆ・１４Ｆにも設けられている。
【００５３】
≪左右両サイド壁体は下段中段上段に分けて説明する≫  
図５Ｂ−１に於いて下段を説明する。両サイド壁体の土台役２本繋ぎ梁２８Ｇの両方端上面に各１本通し柱２６Ｅを立設固定され、（バック側方壁体が出入口設けられ為土台役２８設置の必要がない）外周が４本の２６Ｅ立てられ、２６Ｅの柱脚と繋ぎ梁２８Ｇしっかり固定する。２本２８Ｇの上面に通し柱２６Ｅの間に３本４ｍ５０ｃｍ高さ管柱２６Ｗを立設固定される。下段壁面はプレイヤーの衝撃に耐えられる為に、床面から上へ２ｍ２５.２２ｃｍ位処横向きに設けられ胴差し３６が、通し柱２６Ｅと管柱２６Ｗの側面に刺さる形で連結固定となり、中央管柱２６Ｗと胴差し３６のＴ字交差接合点（３６の下側面）処左右２本の筋交いＫ３８の上端を接合固定となり、Ｋ３８のもう一方下端が左右の２６Ｗ柱脚と２８Ｇ接合処に接合固定され、一体状に補強され強固な壁体になる。２６Ｅと２６Ｗそれぞれの間に間柱３９を４５．５ｃｍの間隔で１６本を立設固定されている。
【００５４】
≪中段部について≫
続いて、前記両サイド壁体一対３本２６Ｗ柱頭の上に胴差し２７Ｊを繋ぎ梁２８Ｇと平行方向に横に渡して架け設置され、両端が通し柱２６Ｅ側面に突き刺さるような形で固定する。中央管柱２６Ｗと胴差し３６のＴ字交差接合点（上側面）に左右２本の筋交いＫ３８の一方下端を接合固定、（下段設ける２本Ｋ３８と交差形状になっている）Ｋ３８のもう一方上端が左右の２６Ｗ柱頭と２７Ｊ接合処に連結固定となり、壁体の強度アッブするに役割を果たす。３６の上側面に２６Ｅと２６Ｅの間に７本の間柱３９を９１ｃｍの間隔で立設固定される。（上部の荷重を減らす為に中段の間柱３９の設置本数が半本に減らす、左右両サイド壁体共に同様）
【００５５】
≪上段について≫
また、前記両サイド壁体の胴差し２７Ｊの上に２６Ｅと２６Ｅの間は９本の間柱３９を９１ｃｍの間隔で立設され、いずれの柱頭上に桁４０Ｍを用いて、２８Ｇと平行方向に渡して架け設置され、桁４０Ｍの両端が通し柱２６Ｅの柱頭と連結する。桁４０Ｍの上側面とスポーツ施設の天井へ繋ぎする。（両サイド壁体左右一対の骨組形成されている）
【００５６】
また、両サイド壁体が返球ボード四段両側壁面１７・１６・１５・１４の外縁辺と接合ために、図５Ｂ−１のＤ示すような形状を形成されていた壁面固定部材１７Ｆ・１６Ｆ・１５Ｆ・１４Ｆを、両サイド壁体の下段と中段壁体に設けられ、ボード上下四段壁面部固定部材Ｓ付けてされる形状（断面図３に見られ形状）ように繋ぎ梁２８Ｇ・桁３６・連結部材２４Ｚ・桁２７Ｊによって固定される。また、１４Ｆの上端位置処２７Ｊの上面に管柱３７を立設され、３７の上端が桁４０Ｍの下側面と連結固定する。後述図８の壁体Ｂ−４の柱になっている。
【００５７】
≪図６に於いてサイド壁内面の実施を説明する≫   
続いて、上記ように一段と二段形成され壁骨組みの正面に競技用壁面４２を張りつけ、壁面の表面が平滑的硬くてシャトル・ボールを良好に跳ね返すものであれば、どのようなものであっても良い。そのような板状部材として、基本使用とするスカッシュコート壁面パネル（最近はＪＳＭ株式会社ではスカッシュコート壁面用、従来の板の3倍大型パネルが登場。）の板状部材ですが、たとえば塗装コンパネ板やプラスチック板が木材板等でも良い。
【００５８】
図５示すように取り付けされた壁面固定部材１７Ｆ・１６Ｆ・１５Ｆ・１４Ｆの前方面にボード両側壁面１７・１６・１５・１４の外縁辺を取り付け固定すると、多辺形の形状を形成されていて、そのような形状に合わせて、壁骨組みの正面に大面積競技用壁面部４２を取り付けて、（図示せず）平皿パネルビスを用い固定する。パネル接合の継ぎ目を最小限に平滑てき平坦での壁面なっている。壁面１７・１６・１５・１４と３７の後側壁体部分が壁面取り付けの必要がない為、骨組み部材露出してままで良いとなっている。（４１は後述Ｂ−４の壁面部）
【００５９】
図６Ｂ−２示すように、両サイド壁面４２の上部（床から４ｍ５０ｃｍ）処横にサイドライン２１設定され、サイドライン２１上方の壁面部は非競技エリアとされている。また両サイド壁面上部のサイドライン２１が返球ボード壁面部のサイドライン２１及びバック壁面のサイドライン２１と一周繋がっている、この一周サイドライン２１以下は競技用返球壁面部となっている。ライン２１以上が場外の非競技エリアにとする。  
【００６０】
また、両サイドライン２１の上方側の非競技部分がシャトルやボールが外へ飛び防止為に、パネル壁面部を取り付ける良いですが、しかし、競技者が狭い空間中で激しい運動為に、室内温度が上昇速い、酸素が薄くになり、健康面に配慮し、空気流通為にパネル壁面を代わりに３ｃｍ目の網壁面部４３を使用することが好ましい。
【００６１】
≪図７のＢ−３バック側方壁体の構成について≫  
続いて、Ｂ−３に於いて実施の形態を説明する。桁４０はバック側方壁体の上部を横に渡して設置、（後述図１０の実施中は桁４０の両端が両サイド壁体の通し柱２６Ｅの柱頭及び４０Ｗの端と連結固定する仕組みであて、壁コードの一体状に役割を果たす。）桁４０の上側面とスポーツ施設の天井に繋ぎする。床面から上へ４ｍ５０ｃｍ処に胴差し２７を横設置され、両側端が通し柱２６Ｅの側面に突き刺さるような形で固定する。２７の上面に左右通し柱２６Ｅの間を６等分間隔で５本の間柱３９を立設され、その内面に３ｃｍ目の網壁面部４１Ｌを張って取り付けられ、シャトルが壁コードの外へ飛び出しに防止する事出来る。また競技者が狭い空間中で激しい運動による室内温度が上昇速いため、酸素が薄くになり、健康面に配慮とし空気流通する為である。  
【００６２】
また、胴差し２７の下方設置されていた壁面４８は、競技者の強い衝撃に耐えられるポリカーボネート樹脂よりなる強化透明板状材で（強化ガラスでも良い）形成されている。透明壁体４８上部の内面に横一本サイドライン２１設置され、壁面４８の中央処に、競技者等のコート内への出入りに利用する、高さ１ｍ８０〜２ｍ１０ｃｍ×幅１ｍ２０〜１ｍ４０ｃｍの出入口４４を設置、２枚開閉出来る強化透明板状ドア４５を配され、ドアを支える開閉金属製部品蝶番４６用い取り付けられ、左右ドア４５を引いて開けるタイプのドアハンドル４７付けられ、ドアを開けならば、どのような形状でも良いですが、Ｎ４７（分かる易い為に２倍拡大しておる）様に簡単の構造が好ましい。また、設けられた出入り口４４両側壁面４８の下縁が突き当たる床面部位に、壁面厚さと同じの溝を切り開き、４８の下縁が床面厚さ位部分を溝に嵌合し、壁面の両面と床の継ぎ目部位にゴム系シリコンを用いコーキングする。
【００６３】
≪Ｂ−４壁体部の構造について、００５６段が記載されて１４Ｆの上端位置処２７Ｊの上面に管柱３７を立設され、管柱３７の上端が桁４０Ｍと連結固定している。その設けされて管柱３７がＢ−４壁体の両サイド柱になる。≫
続いて、Ａ実施の形態に返球ボード上部設けられていた接合梁３３（３３の両側端が両サイド壁体の桁２７Ｊの側面に突き刺さるような形で連結固定の仕組みである。）の上側面が、立設５本の間柱３９と両側２本管柱３７がＢ４壁体骨組み部を形成、５本間柱３９の柱頭上に３３と平行方向に横に渡して架けられ桁３３Ｘを設置され、後述図１０実施中で両端が左右サイド壁体上部の桁４０Ｍの側面に突き刺さるような形で連結固定の仕組みである。
【００６４】
また、上述複数本の間柱３９の正面に壁面４１を設置されている、非競技壁面によるシャトル止められば、どのような壁面でも良い、パネルが良いですが、しかし、競技者が狭い空間中で激しい運動による室内温度が上昇速い、酸素が薄くになり、健康面に配慮とし空気流通ために３ｃｍ目の網壁面４１が好ましい。
【００６５】
≪図９ラインコート部Ｕの実施の形態を説明する≫  
返球ボードと三面立設壁に囲うまれたフロア上に引いた区切りラインによる（ラインの幅は４ｃｍにとする）バドミントンスカッシュ競技用ラインコートである。  ００５９段記載していた、両サイド壁面上部のサイドライン２１が返球ボード壁面部のサイドライン２１及びバック壁面のサイドライン２１と一周繋がっている、この一周サイドライン２１がラインコートの一部分である。
【００６６】
長方形競技フロア上に仕切る線が設けられた競技用コートのラインについて、返球ボード一段壁面１０の下縁から６０ｃｍ処横に一本ネットライン４９設置され、返球ボードから跳ね返りシャトル（ボール）がネットライン４９に到着しない場合アウトにとする。また競技者がライン４９を踏んだり、超えたりしてはならない。（タッチザネットとなりフォルトが取られる。）４９から１ｍ３５ｃｍ処横に一本サービスライン５０設定され、サーバー様がラケットでシャトルを打つ前にサーバー側とレシーバー競技者がサービスライン５０に踏んだり、はみ出したりしてはならない。サービスしたシャトルが跳ね返ってきた際、サービスライン５０に到着しなかったらアウトにとなる。また、バック壁面４８から７６ｃｍ処左右一本バックサイドライン５４設けられ、例えば、正面返球ボードから跳ね返りシャトルがバックサイドライン５４の外にはみ出し着地の場合アウトにとする、壁面にバウンドしてライン５４外に着地したらアウトにとする。なお、両サイド壁の中間に、壁面と平行方向でサービスライン５０からバックライン５４まで一本センターライン５１を設けされ、全長６ｍ４ｃｍになっている。
【００６７】
また、センターライン５１とサービスライン５０のＴ字形交差点処に、５０の右側に縦２ｍ５０ｃｍ×幅は１ｍ５０ｃｍの長方形のサービスボックス５２を設置され、左側にも同じサイズでのサービスボックス５３を設ける。試合始めは、サーブ優先権持つのサーバー側方が、右サービスボックス５２からボード返球壁面１１の左側のサービス枠１８内へ打たなければなりません。（得点したら同じプレイヤーがポジションを入れ替えて左ボックスからサービスする。）左サービスボックス５３は、レシーバー側プレイヤーの位置、サーバー側サービス際シャトルを打つ前にお互いセンターラインやサービス枠に踏んだり、はみ出したりしてはならない、またはサービス際猛スピードで斜め狙う場合、跳ね返りシャトルが反対側壁面に衝突してセンターライン５１を越えてバウンッドの場合がアウトにとする。
【００６８】
≪Ａ・Ｂ・Ｕの実施の形態を説明する≫
Ａ・Ｂ・Ｕ−１は、前述Ａの返球ボード部と、Ｂの壁体部と、（左右サイド壁体とバック壁体及び返球ボード上側方建てられ壁体）Ｕの競技用ラインコート部の三大要素形成されたバドミントンスカッシュ壁コートである。（床下と天井の構造について、大型スポーツ施設内に設置するため、床下と天井構造が省略にとする。）
【００６９】
≪Ａ部とＢ部の接合構法の説明≫
前述Ａの実施に形成した返球ボード部の繋ぎ梁２８とＢ壁部の両サイド壁体の２本繋ぎ梁２８Ｇを接合固定すると、（バック側方壁体が出入口設けられ為土台役２８設置の必要がない）ボード上部の胴差し２７とバック側壁体の胴差し２７が通し柱２６Ｅの側面に突き刺さるような形で固定されと、なお、接合梁３３が両サイド壁体の胴差し２７Ｊの側面に突き刺さるような形で固定されと、また、両サイド壁体上方の桁４０Ｍとバック壁上方の桁４０及びボード上方の桁３３Ｘまたは桁４０が、壁コートの最上方部一周に連結固定される事と、揺られ対策為に複数本筋交いＫを設けされると、地震に発生する水平力による変形を防止するために、バック側壁体の胴差し２７と両サイド壁体２７Ｊの接合角処に、斜材火打ち梁Ｋ５５設置していると、（火打金物を使うことも良い）それぞれ部材で形成された四面立設壁面に囲まれたラインコートてのバドミントンスカッシュ壁コートである。（ラインコート部はＵの実施の形態００６５と００６６及び００６７段を説明しってある。）
【００７０】
≪壁コートの寸法概要≫
壁コートの外形寸法、高さ約６ｍ５０ｃｍ×長さ約９ｍ８４．２５ｃｍ×幅約５ｍ３８ｃｍ〜５ｍ４８ｃｍ、壁の厚さは各柱の寸法による約１０〜１５ｃｍ、の間にとする。壁の高さは併用スポーツ施設天井の高さによる変更出来るとなっている。競技エリアの長さは、返球ボード一段下縁からバック壁面まで８ｍ７６ｃｍ（バックラインまで８ｍ）幅５ｍ１８ｃｍになっている。壁返球ボードの寸法概要、上下四段、横三行列、１２枚傾斜角度壁面で構成、高さ４ｍ５０ｃｍ×幅５ｍ１８ｃｍ、四段高さの内訳は、一段部は１ｍ３.１４ｃｍ、傾斜５２.５度、二段部は１ｍ２２.０８ｃｍ、傾斜８３度、三段部は１ｍ２４．３２ｃｍ、傾斜１０７度、四段は１ｍ０.４６ｃｍ、傾斜９４度、高さ合計４ｍ５０cmです。幅の内訳は、左右壁面の幅各８０ｃｍ（１ｍｍまで増幅出来る）、中間幅３ｍ５８ｃｍ（３ｍ１８ｃｍまで減幅できる）、接合部位の曲り数値１６５度、幅合計５ｍ１８ｃｍとなっている。（ラインコートに関するは図９の実施説明００６５〜００６７記載がある）
【００７１】
≪図１１Ａ・Ｂ・Ｕ−２バドミントンスカッシュ壁コート上空見た概略平面図について≫
高さ４ｍ５０ｃｍまで、（競技用壁体上方の非競技部分壁体を省略）上空見た壁コート競技用ラインコートと、通し柱26Ｅと間柱３９の立設分布位置、胴差し２７と胴差し２７Ｊ及び接合梁３３の連結した状態を示す、またバック側透明壁体４８・出入口４４設けられ、２枚ドア４５・蝶番４６・ドアハンドル・火打ち梁Ｋ５５の設置などを示すである。（ライン４９〜５４の詳細が図９の実施を説明している。）
【００７２】
また、スポーツ施設等においてバドミントンスカッシュ壁コートを設置するにあたっては、１フロアに複数のバドミントンスカッシュ壁コートを横並びに連設することが出来る。例えば図１１の壁コートの両側にコート増設する場合、各ウォールに間仕切りのようにフロアを分断することになるので、例えば三座バドミントンスカッシュ壁コート連設事にならば、間切り壁の内外側に返球壁面４２を貼りつけて、四座壁体が六面返球壁面になるので、建設の費用と手間が安くになる。
【００７３】
また上述発明において、前述００１０段及び００１３段のバドミントンスカッシュシャトルとは、私が２０１５年の発明品、特許文献2の特開２０１５−１３１０６２号公報に開示された内容、（請求項２記載の内容が、請求項１記載のバドミントンのシャトルであって、前記ボール部は、その材質を発泡ポリエチレンとすると共に 。実施の形態の００１９段 ボール部２０として用いられる商品名「スノーボール」は、その直径が約４３ｍｍであり、重さが１ｇである。）その様なボールをリボン羽根つけた練習用シャトルである。
【００７４】
上記シャトルについて、本発明観点によると、本願は重さ１グラムの発泡ポリエチレンボールではなく、ゴムのような柔軟性と、軽量でかつ優れた反発弾力持つポリエチレン素材で形成された、色々ゴルフ練習用ボール、その内に適用条件を具備いるボールを２種類選択し、直径４１ｍｍ、重さ３．９グラム、白色ボール青色ライン付けていて、（鮮やかなラインを増やす事が好ましい）ラインボール（アイアン上達ボール）である。また、直径４０ｍｍ、重さ３．４グラム、躑躅色ボールにマリーコールド色・レモンイエロー色・黄緑色・シルウァーホワイト色の五色ライン付けていて、スピナーボール（アプローチ上達ボール）にもある。上記２種類ボールをバドミントンスカッシュボールにとして使用する。更に、私が２０１５年の発明品バドミントン練習用シャトルの技術を活かして、上記ボールを用いリボン羽根を付けて、進化させたバドミントンスカッシュ用シャトルとなっている。  
【００７５】
上記シャトルをもっと多くの人々に楽しんで貰うために、今回シャトルとして利用し、正式命名バドミントンスカッシュ（初級者用）シャトルと、スピナーボールをバドミントンスカッシュ（中級者用）ボールと命名すると、またラインボールをバドミントンスカッシュ（上級者用）ボールに命名すると、バドミントンラケットを用いと、前記返球ボードそれぞれ傾斜角度持つ１２枚の返球壁面と、要素を具備する事によるバドミントンスカッシュフライトを特徴とする。（上記２種類ボールの重さ違うによりスピードが異なる。３．４グラムの躑躅色ボールのスピードが若干遅い中級者ボールにとする。速い方ボールは上級者ボールにとする。）
【００７６】
≪Ｒ実施の形態について図面によるフライトを説明する。≫  
本発明に係るバドミントンスカッシュ競技特有フライトのＲ実施の形態とは、本発明特徴とするバドミントンスカッシュフライト競技中で、返球ボード及びサイド壁による、作り出しシャトル（ボール）のフライトを図面に於いて詳細説明する。Ｒのシャトル（ボール）フライト部とは、図１２図１３図１４を有している。（註：Ｒ実施の形態の説明中は、バドミントンスカッシュシャトルが略称シャトル）  
【００７７】
≪図１２示す返球ボード二段部の左右側壁面１６（図２Ａ−４のＰ５示す角度イメージ以外が省略）に対してのフライトを、例にとして説明する。≫
Ａ競技者が右サイド壁体沿いに平行打ち出したシャトルがフライトｈ１に沿って真っ直ぐ進行し、ボード右側返球壁面16に衝突、Ｕターンシャトルｈ２が、図２のＰ５の１６５度角度によるフライトｈ３に沿って左へ斜めに跳ね返り、シャトルがコートの中間に来られ、その時点でＢ競技者が打ち返すしないと、その斜めフライトを勢いでやや反対側ｈ４処に来られる。（左サイド壁沿いフライトｈ５・ｈ６・ｈ７・ｈ８が右側と同様）返球ボード両側突出壁面による、スカッシュ競技中に多く見られた両サイドウォール沿いでの攻防戦が回避出来る。競技者の体やラケットが壁に接触の恐れ事を避けられ、思い切り勝負が出来る、フライトの変化為にも役を立つ、競技内容が充実になる。
【００７８】
なお、シャトルが返球ボード両側の１７・１６・１５・１４の８枚返球壁面に衝突する部位によって、跳ね返り方向が異なっている。打球方向をコントロールにして、１・２・３・４段の１７・１６・１５・１４の８枚壁面任意部位に狙って打球し、複雑なフライトを作り出し出来る。
【００７９】
≪Ｕ実施の形態Ｒ−２について図面によるフライトを説明する。≫  
次に、前述したシャトルとバドミントンスカッシュ返球ボードを用いて、返球ボードの上下四段中央壁面部イメージ図以外を省略した状態の返球ボードの側面を示すと共に、バドミントンスカッシュの競技におけるシャトルのフライト、図１３Ｒ−２側面フライト図によるシャトルが空中浮きた状態で双方競技者の打ち合うフライトを説明する。
【００８０】
Ｒ−２のｈ９は、スマシュやハイクリヤーのストローク位置であり、Ａプレイヤーが返球ボードの最下段を狙ってオーバーヘッドストロークでスマシュを打ち込み、ｈ１０の軌跡に沿って進行し、シャトルｈ１１は下方一段壁面部１０に激突してＵターン、壁面１０の傾斜角度は図２のＰ１ようにシャトルを高く上げるように設けられ、スマシュの猛スピートで跳ね返りシャトルｈ１２が高さ約５〜６ｍ位、距離約６〜７ｍ位（競技者のパーワによる高さと距離が異なる）を飛ばされ、シャトルｈ１３が飛び力尽き処やや垂直で落下、スマシュやハイクリヤーの打点高さ位置に到着、（返球ボード中央壁面が前記ように、幅３ｍ５８ｃｍあり、打点と壁面１０の左右衝突の部位によって跳ね返り方向左か右が異なっている、プレイヤーが素早くフットワークで左右移動し、適切な打球位置入り、正確なストローク打つ為に、瞬間的な反応速度や高い身体能力が必要となる。）ｈ９のような再びスマシュを打ち込み事出来ますが、それでも、Ｂプレイヤーがフライトを変化させ、最上段を狙って、ｈ１４ようにラケットの面を上向け、フォアハンドのオーバーヘッドストロークでハイクリヤーように打ち飛ばす、ｈ１５シャトルの上昇軌跡に沿って四段へ、シャトルｈ１６が壁面１３に衝突してＵターン、跳ね返りシャトルがｈ１７軌跡に沿って下降する、到着の位置ｈ１８はドライブ打点の適切位置であり、Ａプレイヤーが素早くフライトを変化させ、ラケットｈ１９を前へ振り出し、フォアハンドやバックハンドのサイドアームストロークでシャトルを打ち出す、ドライブ軌跡ｈ２０に沿って二段返球壁面１１に衝突、ドライブ勝負ラリーを長く続くために、壁面１１が垂直ではなく、図２Ｐ２のやや仰向き角度を設けであり、壁面からＵターンシャトルｈ２１がやや高めの軌跡２２に沿ってｈ１８の一歩手前処で、（バドミントンスカッシュは、ドライブ打ち合うの勝負が多く使用されている。）Ｂプレイヤーがｈ１９・２０・２１・２２のような繰替えって、壁面１１の左右部位に狙って連続ドライブ勝負事出来ますし、プッシュにも出来ますが、それでも、Ｂプレイヤーがフライトを変化させ、素早く一歩前へ踏み出し、ラケットｈ２３をやや仰向き方向振り出し、ボードの三段壁面１２を狙ってフォアハンドのサイドアームやバックハンドのサイドアームストロークで強く打ち上げ出し、シャトルが上昇軌道ｈ２４に沿って三段壁面１２へ衝突、壁面１２の角度は図２のＰ３の通り、スマシュやプッシュのフライト作り出し為に下側方へ向く、Ｕターンシャトルｈ２５がスマシュ軌道ｈ２６に沿って猛スピード勢いで急下降、相手競技者に圧力を掛ける。シャトルｈ２７がレシーブストローク位置に到着している。（その時点がもしレシーブに間に合わなかったら、フロアにワンバウンドしてからレシーブすることが出来る。）Ａプレイヤーがスマシュに対して、レシーブｈ２８ようにシャトルをフォアハンドやバックハンドのアンダーハンドストロークで強く打ち返す、シャトルがｈ２９の上昇軌跡に沿って壁面１２へ衝突、（左右幅３ｍ５８ｃｍ壁面の任意部位に狙って、それでも両側壁面１５に狙うでも良い、フライトが左か、右が斜めに戻って来る）シャトルｈ３０がＵターン後軌跡ｈ３１に沿って急下降、Ｂプレイヤーが攻防転換のために素早く前へ移動し、少しでも高い打点を狙って、ｈ３２レシーブ位置に入り、ラケットｈ３３をフォアハンドやバックハンドのサイドアームストロークで前へ振り出し、ドライブレシーブで壁面１１のやや下方部位に狙って、フライトｈ３４に沿って壁面１１に衝突、シャトルｈ３５Ｕターン後のフライトｈ３６がやや高くになり、ｈ３７ラケット持ちのＡプレイヤーが軽くて左右斜めプッシュで彼方此方部位に狙いプッシュ打球にならば良いですが、それでも強打ｈ３８のフライト様に猛スピードで壁面１０に激突、シャトルｈ３９がＵターン後ｈ４０フライトように高くで遠くへ跳ね返され、やや垂直に落下ｈ４１の打点に到着、この瞬間Ｂの競技者に高い身体能力と瞬間的な反応速度が必要となる、早く反応し素早く後ろへ三歩フットワークでジャンプして入れ替え打球、スマシュや軽くてドロップが等任意変化打球する。（ドロップの場合シャトルが下方壁面部からの跳ね返りが弱い、そのため、ネットライン４９に越えないことによるアウトの可能性があり、上手く的なコントロールが必要となる。）
【００８１】
上述フライト内容は、返球ボードの中央壁面によるフライトでしたが、更に返球ボード左右の両側壁面１７・１６・１５・１４を狙うことによる、フライトがもっと複雑になり、全てコートの左右幅及び両サイド壁を利用する事となる。返球ボードの十二枚それぞれ角度傾斜面の特長を利用して、自分の意識で仕掛け、打点位置を転換打球して落点にコントロールできる。強い、弱い、長い、短い、左、右、上、中、下など自由自在にコントロールしてさまざまなフライトを作り出し、フライトに応じですばやく移動し、正確なストロークの位置で打球していて、激しい内容を増やし競技内容が充実になる。
【００８２】
≪Rー３は、スカッシュ競技ように両サイド壁面とフロアを利用し、返球ボードから跳ね返りシャトルがサイド壁面にぶつかった床面にワンバウンドしてから打ち返すフライトを説明する。≫
例えば、Ａ競技者が右の５２番サービボックスからフライトｈ４２ように返球ボード2段壁面１１左側のサービス枠１８番へ向かってサービス出し、壁面に衝突して、Ｕターンシャトルが軌跡ｈ４３に沿って左側に戻って来られ、Ｂプレイヤーがバックハンドのアンダーハンドストロークで打ち返す、シャトルがフライトｈ４４沿って返球ボード壁面１１の右側へ衝突、フライトｈ４５ようにシャトルがその勢い右サイド壁面をぶつかって、軌跡ｈ４６に沿って落下、Ａプレイヤーが腰の回転を利用してフォアハンドのサイドアームストロークで打ち返す（時差勝負ためなるべくノーバウンドで打ち返す）、シャトルが軌跡ｈ４７に沿って壁面１１の左部位衝突、右から左への斜め角度によるシャトルが軌跡ｈ４８に沿って左サイド壁面に衝突、落下シャトルｈ４９が床面にバウンド浮き上がるフライトｈ５０やや膝や腰位高さですが、Ｂプレイヤーがバックハンドのアンダーハンドストロークでシャトルをｈ５１ように左サイド壁向かって打ち返す、シャトルがサイド壁面に当たる角度によって行く先方向が右へ転換、軌跡ｈ５２に沿ってボード壁面１３の右側に衝突、跳ね返ってシャトルｈ５３が右へ右サイド壁面にぶつかる、力尽きのシャトルが軌跡ｈ５４ように落下、床にワンバウンドしてｈ５５のように浮き上がる低いですが、ツーバウンド前にＡプレイヤーが素早く打球位置入り、フォアハンドのアンダーハンドストロークでフライトｈ５６ように思い切り打ち返す、低いフライトが壁面１０に激突、１０の緩やか傾斜壁面によるシャトルがｈ５７の軌跡沿って高く遠くへ飛ばされ、Ｂプレイヤーが素早く反応し右後方へ三歩フットワークで打球位置入り、ジャンプで体を回転させ打球、返球ボードの十二個角度斜面の特長を利用して、衝突点には自分の意識で仕掛け・強い・弱い・左・右・上・中・下など狙う部位を転換により、壁コートからさまざまなフライトを作り出し、フライトに応じですばやく移動し、正確なストロークの位置で打球していて、競技内容が充実になる。
【００８３】
≪変形例≫
以上、本発明の実施の形態について説明したが、本発明はこれ以外にも種々変形可能となっている。以下、それについて述べる。
【００８４】
上述の実施の形態では、Ａの返球ボード壁面部は、上下四段壁面と横三行列１２枚の板状部材連結構成している。しかしながら、ボード部壁面は、このような構成には限られず、例えば、同様傾斜角度の設計図で、現代最先端の大型３Ｄプリンターを用いて、プラスチックやポリカーボネート樹脂よりなる強化板材及び透明板状材のように、成形製造工法による四段分別形成して、組立工法による接合すると、横三行列の連結工程を省略になり、真直ぐ接合の内角ではなく、円やかな半楕円内カーブが出来る。上下四段の接合部位にも円やかな半楕円内外カーブが出来る。返球ボード両側壁面外縁と両サイド壁体の連結処にも円やかな半楕円内カーブする事出来る。それぞれの接合部位によりバウンドミスが完全になくなる。
【００８５】
また、本発明には、３分の２へ縮小にすれば、ミニバドミントンスカッシュ壁コートになる。例えば、子どもや高齢者の方にも無理なく楽しんでいただける。また、個人的に本競技やバドミントンの強化訓練ために、自宅の庭や別荘など自由に設置出来る。また、例えば、市・村・町営団地住宅に設置する事にとしたら、狭い住宅に暮らす人々の運動不足を解消できる。
≪バドミントンスカッシュ壁コートをミニサイズに変更値の概要≫
壁コートの外形寸法、高さ約５ｍ位×長さ約６ｍ２０ｃｍ×幅約３ｍ４５ｃｎプラス壁の厚さ約１０〜１５ｃｍ。競技エリアは、返球ボード一段下縁からバック壁面まで約５ｍ８４ｃｍ（バックラインまで約５ｍ３３ｃｍ）×幅３ｍ４５ｃｍとする。壁返球ボードサイズの概要、上下四段、横三行列、１２枚傾斜角度壁面で構成、高さ約３ｍ×幅約３ｍ４５ｃｍ、四段高さの内訳は、一段部は約６９ｃｍ、傾斜５２.５度、二段部は約８１ｃｍ、傾斜８３度、三段部は約８３ｃｍ、傾斜１０７度、四段は約６７ｃｍ、傾斜９４度、高さ合計約３ｍです。幅の内訳は、左右壁面の幅各やく５３ｃｍ、中間幅約２ｍ３９ｃｍ、接合部位の曲り数値１６５度、幅合計約３ｍ４５ｃｍとなっている。利用者のスペース環境によるサイズは自由に設計出来る。但し、室外設置としたら、屋根の工事と床下工事が必要となる、建築工法に従って工事する。（なお、全天候型の壁コートを形成するにならば、屋根省略ことにも出来る。床は、テニスハードコートようにコンクリートにゴム加工による形成、コート面が弾力優れ事を好ましい。）
【００８６】
また、バドミントンスカッシュ競技将来へ発展の事を考えると、集客、観戦のために、現在の4面全てにクリアウォールを使用したスカッシュコートのように、バドミントンスカッシュ壁コートの周りどこからでも観戦ことが出来るように、4面全てにクリアウォールを使用する。
【００８７】
≪人間が環境を創造する、環境が人間を改造す！≫ 
本発明バドミントンスカッシュ壁コートは、更に様々な姿に変更しても良い、例えば、鉄筋コンクリートで００８４段述べるような形状を形成させ、市・村・町の公園、広場等、公共の場に設置して、国民に向けて無料開放し、国民的健康やスポーツの推進などに役割を果たす。
【００８８】
また、最近登場のエーアスカッシュコートようにエーアバドミントンスカッシュ壁コートに変更すれば、組立速い、色々大会やイベント為に便利に移動できる。
【符号の説明】
【００８９】
１０ 一段中央壁面部、１１ 二段中央壁面部、１２ 三段中央壁面部、１３ 四段中央壁面部、１４ 四段両側壁面部、１５ 三段両側壁面部、１６ 二段両側壁面部、１７ 一段両側壁面部、１０Ｓ 壁面固定部材、１１Ｓ 壁面固定部材、１２Ｓ 壁面固定部材、１３Ｓ 壁面固定部材、3のＡ−６ 固定部材形状、１４Ｓ 壁面固定部材、１５Ｓ 壁面固定部材、１６Ｓ 壁面固定部材、１７Ｓ 壁面固定部材、１８・１９ サービス枠、２１ サイドライン、２２・２２Ｃ 内角凹む埋め部材、２５ 台座、２６ 柱、２６Ｅ 通し柱、２７ 胴差し、２８ 繋ぎ梁、３３ 接合梁、Ｋ１・Ｋ３８ 筋交い、４０ 桁、４１・４１Ｌ・４３ 網壁面部、４４ 出入口、４５ ドア、４９ ネットライン、５０ サービスライン 、５１ センターライン 、５２・５３ サービスボックス 、５４ バックライン 、５５ 火打ち梁。
【図１】
2018038571.tif 000003
【図２】
2018038571.tif 000004
【図３】
2018038571.tif 000005
【図４】
2018038571.tif 000006
【図５】
2018038571.tif 000007
【図６】
2018038571.tif 000008
【図７】
2018038571.tif 000009
【図８】
2018038571.tif 000010
【図９】
2018038571.tif 000011
【図１０】
2018038571.tif 000012
【図１１】
2018038571.tif 000013
【図１２】
2018038571.tif 000014
【図１３】
2018038571.tif 000015
【図１４】
2018038571.tif 000016
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
バドミントンスカッシュ競技用バドミントンスカッシュ壁コートであって、  
バドミントンスカッシュ（初級者用）シャトル及びバドミントンスカッシュ（中級者用）ボールまたはバドミントンスカッシュ（上級者用）ボールをバドミントンラケットとともに用いられ、三面立設壁体とそれぞれ傾斜角度持つ１２枚返球壁面の返球ボード及びフロア上ラインコートに囲まれた試合用のスペースを有することを特徴とするバドミントンスカッシュ壁コート。
【請求項２】
請求項１記載のバドミントンスカッシュ壁コートであって、
競技者打ち込みのスマシュ・プッシュ・ドロップに対応する為に、シャトルを高く遠くへ跳ね返りように、一段部が緩く仰向く傾斜壁面部と、またドライブ・サービスにより、シャトルをやや高く跳ね返りように、二段部がやや仰向く壁面部と、競技者の強くか弱く打ち上げる上升シャトルをスマシュかプッシュで返されるように対応する三段部が下方へ向く傾斜壁面部と、競技者の打ち飛すドリブンハイクリヤーとハイクリヤーのような高いフライトに対応する四段部がやや附せ向く壁面部と、跳ね返りフライトの方向を左右へ変換する中央壁面の両側壁面の外縁突出壁面部と、１２枚壁面を支持する複数本の中央壁面固定部材Ｓと両側壁面複数本の固定部材Ｓと、四段部複数本の壁面固定部材Ｓの上方に横に渡して架けられ接合梁と、一段と二段部壁面固定部材Ｓの下端から支持する複数本台座と、複数本の壁面固定部材Ｓの背後から支持する複数本の柱と、複数本の柱頭に横に渡して設けられ胴差しと、複数本の柱を支持する繋ぎ梁と、揺られ変形防止ために設けられる複数本筋交いと、
上記各部材を備える返球ボード部である。
また、左右サイド壁体の土台役に設けられ左右一対繋ぎ梁Ｇと、複数本の通し柱を左右一対繋ぎ梁Ｇの両端上面に壁コートの外周四角位置処立設されと、更に複数本管柱（左右壁体同様）や複数本の間柱（左右壁体同様）が立設されと、通し柱同士また複数本の管柱をそれぞれ胴差しが突き刺すように連結固定されと、変形防止為に対策設けられ複数本の筋交いと、桁Ｍを左右壁体の上方部に繋ぎ梁Ｇと平行方向に渡して架け設置されと、ボードと壁体の接合為に複数本の両側壁面外縁辺固定部材Ｆを設けられと、大面積パネルを用い両サイド壁体内側平滑的壁面部形成されと、競技者の衝撃に耐えられる強化透明板状部材を用いバック側壁面部形成されと、左右開閉出来る強化透明板状ドアを配されると、前記ボード上方接合梁の上方に立設復数本の間柱と、両側左右一対管柱立設と、それぞれ柱頭上方に横に渡して架けられ桁Ｘを設置されと、空気流通為に、周囲の壁体上方部非競技壁面部に網壁面部を設けられると、
上記各部材を備えるＢの壁体部である。
なお、競技壁面部と非競技壁面部を区切りため、周囲アウトライン設定される事と、返球ボード壁面に左右サービス枠を設けされと、フロア上ボートの近い処にネットラインを横設置されると、次げにサービスラインを横設けされと、バック壁の近い処横にバックサイドラインを設けされと、サービスラインとバックサイドラインの間に、サイド壁と平行方向にセンターラインを設けされと、センターラインとサービスラインの丁字形交差点処に、センターライン右側に長方形サービスボックスを設置されと、左側にも同じサービスボックスを設置されると、 
上記返球ボードと三面壁に囲うまれたフロア上に引いたラインを備えるバドミントンスカッシュ競技用ラインコート部である。
上記三大要素具備する事をバドミントンスカッシュ競技フライト特徴とするバドミントンスカッシュ壁コート 。
【手続補正２】
【補正対象書類名】明細書
【補正対象項目名】００１０
【補正方法】変更
【補正の内容】
【００１０】
≪バドミントンスカッシュ競技についての簡単な説明≫ バドミントンスカッシュとは、スカッシュとバドミントンの複合体スポーツ競技です、バドミントンとスカッシュ両方の技術及びルールの特徴を具備している。スカッシュコートのイメージを取り入れ、正面は独特なバドミントンフライトに対応返球ボードと左右後ろの三方面立設壁体、及びフロア上競技ラインコートに囲まれたスペースで、バドミントンスカッシュシャトル及びバドミントンスカッシュボールを用いて行われる球技である。バドミントンラケットを使用して、返球ボードや壁から跳ね返るシャトルを打ち返す、2名か（ダブルスは4名）４名でバドミントンスカッシュシャトルを交互に打ち合う。全ての打球は前方の返球ボードに向かって打つ必要があるが、そのほかの壁も全て利用することができる。相手がボールを2度床にバウンドする前に前方の返球ボードに打ち返すことができなかったり、シャトルが前方返球ボードに届かなかったり、またアウトラインに越えったり、サービスシャトルがサービス枠にはみ出したり、跳ね返り際サービスラインまでに戻って来られなかったり、返球壁面に跳ね返りシャトルがネットラインに到着しなかったしたり、相手競技者のアウトと判断し、自分の得点になる。上述のような競技内容による新しいスポーツ競技バドミントンスカッシュである。
【手続補正３】
【補正対象書類名】明細書
【補正対象項目名】００２５
【補正方法】変更
【補正の内容】
【００２５】
また、左側壁面部１４、中央壁面部１３、右側壁面部１４に構成され四段部は、三段部上縁の上に設置され、ハイクリヤーように高いフライトに対応する壁面部であり、やや前へ附せ向き、左右壁面の１４と１０の接合部位がカーブ形状に形成、ボード両側壁面外縁が前へ突出されている。競技者は、１３の壁面を狙ってハイクリヤーを飛ばす事が（後述図１３に示す）出来る。両側の１４を狙えば、跳ね返ってきたフライトが方向変化するになり、（図12を示す）競技内容は充実になる。床面から返球ボード壁面の上辺４ｍ５０ｃｍ処横向きに一本４ｃｍ幅のサイドアウトライン２１が設けられ、２１の以下は競技エリアにとする。
【手続補正４】
【補正対象書類名】明細書
【補正対象項目名】００５８
【補正方法】変更
【補正の内容】
【００５８】
図５図６示すように取り付けされた壁面固定部材１７Ｆ・１６Ｆ・１５Ｆ・１４Ｆの前方面にボード両側壁面１７・１６・１５・１４の外縁辺を取り付け固定すると、多辺形の形状を形成されていて、そのような形状に合わせて、壁骨組みの正面に大面積競技用壁面部４２を取り付けて、（図示せず）平皿パネルビスを用い固定する。パネル接合の継ぎ目を最小限に平滑てき平坦での壁面なっている。壁面１７・１６・１５・１４と３７の裏側壁体部分が壁面取り付けの必要がない為、骨組み部材露出しても良いとなっている。
【手続補正５】
【補正対象書類名】明細書
【補正対象項目名】００５９
【補正方法】変更
【補正の内容】
【００５９】
図６Ｂ−２示すように、両サイド壁面４２の上部（床から４ｍ５０ｃｍ）処横にサイドアウトライン２１設定され、サイドアウトライン２１上方の壁面部は非競技エリアとされている。また両サイド壁面上部のサイドアウトライン２１が返球ボード壁面部のボードアウトライン２１及びバック壁面のバックアウトライン２１と一周繋がっている、この一周アウトライン２１以下は競技用返球壁面部となっている。アウトライン２１以上が場外の非競技エリアにとする。
【手続補正６】
【補正対象書類名】明細書
【補正対象項目名】００６０
【補正方法】変更
【補正の内容】
【００６０】
また、両サイドアウトライン２１の上方側の非競技部分がシャトルやボールが外へ飛び防止為に、パネル壁面部を取り付ける良いですが、しかし、競技者が狭い空間中で激しい運動為に、室内温度が上昇速い、酸素が薄くになり、健康面に配慮し、空気流通為にパネル壁面を代わりに３ｃｍ目の網壁面部４３を使用することが好ましい。
【手続補正７】
【補正対象書類名】明細書
【補正対象項目名】００６２
【補正方法】変更
【補正の内容】
【００６２】
また、胴差し２７の下方設置されていた壁面４８は、競技者の強い衝撃に耐えられるポリカーボネート樹脂よりなる強化透明板状材で（強化ガラスでも良い）形成されている。透明壁体４８上部の内面に横一本バックアウトライン２１設置され、壁面４８の中央処に、競技者等のコート内への出入りに利用する、高さ１ｍ８０〜２ｍ１０ｃｍ×幅１ｍ２０〜１ｍ４０ｃｍの出入口４４を設置、２枚開閉出来る強化透明板状ドア４５を配され、ドアを支える開閉金属製部品蝶番４６用い取り付けられ、左右ドア４５を引いて開けるタイプのドアハンドル４７付けられ、ドアを開けならば、どのような形状でも良いですが、（Ｎ４７分かる易い為に２倍拡大しておる）様に簡単の構造が好ましい。また、設けられた出入り口４４両側壁面４８の下縁が突き当たる床面部位に、壁面厚さと同じの溝を切り開き、４８の下縁が床面厚さ位部分を溝に嵌合し、壁面の両面と床の継ぎ目部位にゴム系シリコンを用いコーキングする。
【手続補正８】
【補正対象書類名】明細書
【補正対象項目名】００６４
【補正方法】変更
【補正の内容】
【００６４】
また、上述複数本の間柱３９の正面に壁面４１を設置されている、非競技壁面によるシャトルを留事にならば、どのような壁面でも良い、パネルが良いですが、しかし、競技者が狭い空間中で激しい運動による室内温度が上昇速い、酸素が薄くになり、健康面に配慮とし空気流通ために３ｃｍ目の網壁面４１が好ましい。  
【手続補正９】
【補正対象書類名】明細書
【補正対象項目名】００６５
【補正方法】変更
【補正の内容】
【００６５】
≪図９ラインコート部Ｕの実施の形態を説明する≫  
返球ボードと三面立設壁に囲うまれたフロア上に引いた区切りラインによる（ラインの幅は４ｃｍにとする）バドミントンスカッシュ競技用ラインコートである。  ００５９段記載していた、両サイド壁面上部のサイドアウトライン２１が返球ボード壁面部のボードアウトライン２１及びバック壁面のバックアウトライン２１と一周繋がっている、この一周アウトライン２１がラインコートの一部分である。
【手続補正１０】
【補正対象書類名】明細書
【補正対象項目名】００６６
【補正方法】変更
【補正の内容】
【００６６】
長方形競技フロア上に仕切る線が設けられた競技用コートのラインについて、返球ボード一段壁面１０の下縁から６０ｃｍ処横に一本ネットライン４９設置され、返球ボードから跳ね返りシャトル（ボール）がネットライン４９に到着しない場合アウトにとする。
また競技者がライン４９を踏んだり、超えたりしてはならない。（タッチザネットとなりフォルトが取られる。）４９から１ｍ３５ｃｍ処横に一本サービスライン５０設定され、サーバー様がラケットでシャトルを打つ前にサーバー側とレシーバー競技者がサービスライン５０に踏んだり、はみ出したりしてはならない。サービスしたシャトルが跳ね返ってきた際、サービスライン５０に到着しなかったらアウトにとなる。また、バック壁面４８から７６ｃｍ処左右一本バックエンドアウトライン５４設けられ、例えば、正面返球ボードから跳ね返りシャトルがバックエンドアウトライン５４の外にはみ出し着地の場合アウトにとする、壁面にバウンドしてライン５４外に着地したらアウトにとする。なお、両サイド壁の中間に、壁面と平行方向でサービスライン５０からバックエンドアウトライン５４まで一本センターライン５１を設けされ、全長６ｍ４ｃｍになっている。
【手続補正１１】
【補正対象書類名】明細書
【補正対象項目名】００６７
【補正方法】変更
【補正の内容】
【００６７】
また、センターライン５１とサービスライン５０のＴ字形交差点処に、５０の右側に縦２ｍ５０ｃｍ×幅は１ｍ５０ｃｍの長方形のサービスボックス５２を設置され、左側にも同じサイズでのサービスボックス５３を設ける。試合始めは、サーブ優先権を持つサーバー側方が、右サービスボックス５２からボード返球壁面１１の左側のサービス枠１８内へ打たなければなりません。得点したら同じプレイヤーがポジションを入れ替えて左ボックスからサービスする。左サービスボックス５３は、レシーバー側プレイヤーの位置、サーバー側サービス際シャトルを打つ前にお互いセンターラインやサービスポックスラインに踏んだり、はみ出したりしてはならない、またはサービス際猛スピードで斜め狙う場合、跳ね返りシャトルが反対側壁面に衝突してセンターライン５１を越えてバウンッドの場合がアウトにとする。
【手続補正１２】
【補正対象書類名】明細書
【補正対象項目名】００６９
【補正方法】変更
【補正の内容】
【００６９】
≪Ａ部とＢ部の接合構法の説明≫
前述Ａの実施に形成した返球ボード部の繋ぎ梁２８とＢ壁部の両サイド壁体の２本繋ぎ梁２８Ｇを接合固定すると、（バック側方壁体が出入口設けられ為土台役２８設置の必要がない）ボード上部の胴差し２７とバック側壁体の胴差し２７が通し柱２６Ｅの側面に突き刺さるような形で固定されと、なお、接合梁３３が両サイド壁体の胴差し２７Ｊの側面に突き刺さるような形で固定されと、また、両サイド壁体上方の桁４０Ｍとバック壁上方の桁４０及びボード上方の桁３３Ｘまたは桁４０が、壁コートの最上方部一周に連結固定される事と、揺られ対策為に複数本筋交いＫを設けされると、地震に発生する水平力による変形を防止するために、バック側壁体の胴差し２７と両サイド壁体２７Ｊの接合角処に、斜材火打ち梁Ｋ５５設置していると、（火打金物を使うことも良い）それぞれ部材で形成された四面立設壁面に囲まれたラインコートがバドミントンスカッシュ壁コートの一部分である。（ラインコート部はＵの実施の形態００６５と００６６及び００６７段を説明しってある。）
【手続補正１３】
【補正対象書類名】明細書
【補正対象項目名】００７３
【補正方法】変更
【補正の内容】
【００７３】
また上述発明において、前００１０段及び００１３段記載のバドミントンスカッシュシャトルの開発技術とは、私が２０１５年の発明品、特許文献2の「特開２０１５−１３１０６２号公報」に開示された内容、（請求項１記載の内容が、柔軟に変形可能であり、かつその材質を多孔質の発泡ポリエチレンとする球状のボール部。実施の形態の００１９段 ボール部２０として用いられる商品名「スノーボール」は、その直径が約４３ｍｍであり、重さが１ｇである。）その様なボールを織物帯状羽根つけた練習用シャトルである。
【手続補正１４】
【補正対象書類名】明細書
【補正対象項目名】００７５
【補正方法】変更
【補正の内容】
【００７５】
上記シャトルをもっと多くの人々に楽しんで貰うために、本発明用シャトルとして利用し、正式命名バドミントンスカッシュ初級者用シャトル、また、直径４０ｍｍ、重さ３．４グラムのスピナーボールをバドミントンスカッシュ中級者用ボールと命名する、また、直径４１ｍｍ、重さ３．９グラムのラインボールをバドミントンスカッシュ上級者用ボールに命名する、上記３．９グラム重さのボールに変更事により、シャトルのスピートが大幅に加速出来て、適切なバドミントンスカッシュ競技用シャトルが提供できる。
【手続補正１５】
【補正対象書類名】明細書
【補正対象項目名】００８７
【補正方法】変更
【補正の内容】
【００８７】
≪人間が環境を創造する、環境が人間を改造する！≫
本発明バドミントンスカッシュ壁コートは、更に様々な姿に変更しても良い、例えば、鉄筋コンクリートで００８４段述べるような形状を形成させ、市・村・町の公園、広場等、公共の場に設置して、国民に向けて無料開放し、国民的健康やスポーツの推進などに役割を果たす。
【手続補正１６】
【補正対象書類名】明細書
【補正対象項目名】００８９
【補正方法】変更
【補正の内容】
【００８９】
１０ 一段中央壁面部、１１ 二段中央壁面部、１２ 三段中央壁面部、１３ 四段中央壁面部、１４ 四段両側壁面部、１５ 三段両側壁面部、１６ 二段両側壁面部、１７ 一段両側壁面部、１０Ｓ 壁面固定部材、１１Ｓ 壁面固定部材、１２Ｓ 壁面固定部材、１３Ｓ 壁面固定部材、Ａ−６ 固定部材形状、１４Ｓ 壁面固定部材、１５Ｓ 壁面固定部材、１６Ｓ 壁面固定部材、１７Ｓ 壁面固定部材、１８・１９ サービス枠、２１ アウトライン、２２・２２Ｃ 内角凹む埋め部材、２５ 台座、２６ 柱、２６Ｅ 通し柱、２７ 胴差し、２８ 繋ぎ梁、３３ 接合梁、Ｋ１・Ｋ３８ 筋交い、４０ 桁、４１・４１Ｌ・４３ 網壁面部、４４ 出入口、４５ ドア、４８バック側透明壁面、４９ ネットライン、５０ サービスライン 、５１ センターライン 、５２・５３ サービスボックス 、５４ バックエンドアウトライン 、５５ 火打ち梁。